(57)【要約】【課題】引き回しの際に転倒しにくく、小さな力で容易に移動させることができる電気掃除機を提供する。【解決手段】電動送風機４と電源コード５を収納するモータ室７と、電動送風機４の上流側に配され塵埃を捕集する集塵室３と、集塵室３に連通接続されるホース１０と、電動で駆動する車輪１５を具備し、掃除機本体１前部より突出すると共に左右に回動自在の駆動ユニット１６とを備え、ホース１０の動きに連動して駆動ユニット１６が回動するもので、掃除機本体１を引き回す際に、掃除機本体１が転倒しにくく、その方向転換もスムーズに行え、また、掃除機本体１が壁の角などに引っ掛かっても、ホース１０を反対側に向けるだけで、掃除機本体１がその方向に回動して、引っ掛かりが解除され、使用勝手が良い。【選択図】図１
2009022403.tif 000002
【特許請求の範囲】
【請求項１】
吸引風を発する電動送風機と、前記電動送風機の上流側に配され塵埃を捕集する集塵室と、前記集塵室に連通接続されるホースと、電動で駆動する車輪を具備し掃除機本体前部より突出すると共に左右に回動自在の駆動ユニットとを備え、前記ホースの動きに連動して前記駆動ユニットが回動するようにした電気掃除機。
【請求項２】
ホースと駆動ユニットをバネなどの弾性体を介して連動させた請求項１に記載の電気掃除機。
【請求項３】
吸引風を発する電動送風機と、前記電動送風機の上流側に配され塵埃を捕集する集塵室と、前記集塵室に連通接続されるホースと、前記ホースの引っ張られる方向を検知する検知手段と、電動で駆動する車輪を具備し掃除機本体前部より突出すると共に前記検知手段の出力に応じて左右に回動する駆動ユニットとを備えた電気掃除機。
【請求項４】
吸引風を発する電動送風機と、前記電動送風機の上流側に配され塵埃を捕集する集塵室と、掃除機本体の略前部に配され障害物を検知する障害物検知手段と、電動で駆動する車輪を具備し前記掃除機本体前部より突出すると共に前記障害物検知手段の出力に応じて左右に回動する駆動ユニットとを備えた電気掃除機。
【請求項５】
駆動ユニットを、車輪と、クラッチを介して前記車輪を駆動する動力源で構成し、掃除機本体が運転していない時に、前記クラッチを開放して、前記車輪をフリーな状態にする請求項１〜４のいずれか１項に記載の電気掃除機。
【発明の詳細な説明】
【技術分野】
【０００１】
本発明は、電気掃除機に関するもので、特に、ホース、延長管を備えた床移動型の電気掃除機に関するものである。
【背景技術】
【０００２】
従来のこの種の電気掃除機について図６、図７を用いて説明する。
【０００３】
１は、紙袋２等のフィルターを内蔵した集塵室３と、その後方に電動送風機４、電源コード（図示せず）、制御回路（図示せず）を内蔵したモータ室７を設けた掃除機本体で、その掃除機本体１の後方には、移動用のローラー８を、前方にキャスター９をそれぞれ設け、前記集塵室３と連通してホース１０、延長管１１、床ノズル１２が取り付けられたものである（例えば、特許文献１参照）。
【特許文献１】特開昭５８−２９４２９号公報
【発明の開示】
【発明が解決しようとする課題】
【０００４】
しかしながら、上記従来の電気掃除機の構成では、ホース１０を引っ張って掃除機本体１を引き回す際に、掃除機本体１に設けたローラー８が進行方向に固定されているため、掃除機本体１の向きを変える場合に、バランスが悪くなり転倒し易く、また掃除機本体１の前部が壁の角などに引っかかり引き回し性が非常に悪いと言う課題があった。
【０００５】
特に、近年では掃除機本体１の小型化が進み、掃除機本体１の幅も小さくなり、掃除機本体１を引き回す際の安定性が悪化する傾向にあり、引き回す際の力も大きくなってきていた。
【０００６】
本発明は、上記従来の課題を解決するもので、引き回し性に優れた電気掃除機を提供することを目的とする。
【課題を解決するための手段】
【０００７】
上記従来の課題を解決するために、本発明の電気掃除機は、吸引風を発する電動送風機と、前記電動送風機の上流側に配され塵埃を捕集する集塵室と、前記集塵室に連通接続されるホースと、電動で駆動する車輪を具備し掃除機本体前部より突出すると共に左右に回動自在の駆動ユニットとを備え、前記ホースの動きに連動して前記駆動ユニットが回動するようにしたもので、掃除機本体を引き回す際に、掃除機本体が転倒しにくくなると共に、掃除機本体の方向転換がスムーズに行え、また、掃除機本体が壁の角などに引っ掛かっても、ホースを反対側に向けるだけで、掃除機本体がその方向に回動して、引っ掛かりが自動的に解除され、使用勝手が良い。
【０００８】
また、本発明の電気掃除機は、吸引風を発する電動送風機と、前記電動送風機の上流側に配され塵埃を捕集する集塵室と、前記集塵室に連通接続されるホースと、前記ホースの引っ張られる方向を検知する検知手段と、電動で駆動する車輪を具備し掃除機本体前部より突出すると共に前記検知手段の出力に応じて左右に回動する駆動ユニットとを備えたもので、例えば、ホースが引っ張られた方向に、駆動ユニットを回動させるようにすれば、掃除機本体の方向転換をよりスムーズに行い使い勝手の向上が図れるものである。
【０００９】
さらに、本発明の電気掃除機は、吸引風を発する電動送風機と、前記電動送風機の上流側に配され塵埃を捕集する集塵室と、掃除機本体の略前部に配され障害物を検知する障害物検知手段と、電動で駆動する車輪を具備し前記掃除機本体前部より突出すると共に前記障害物検知手段の出力に応じて左右に回動する駆動ユニットとを備えたもので、例えば、掃除機本体が壁の角などに引っかかってそれが障害物検知手段で検知されたときに、掃除機本体が反対側に移動するように駆動ユニットを回動させれば、掃除機本体の障害物への引っ掛かりを自動で解除でき、更なる使い勝手の向上が図れるものである。
【発明の効果】
【００１０】
本発明の電気掃除機は、ホースをどの方向に引っ張って掃除機本体を引き回しても軽く容易に移動させることができ、方向転換がスムーズにでき、また壁の角などに掃除機本体が引っ掛かっても、ホースを引っ張るだけで、引っ掛かりを容易に解除できる。
【発明を実施するための最良の形態】
【００１１】
第１の発明は、吸引風を発する電動送風機と、前記電動送風機の上流側に配され塵埃を捕集する集塵室と、前記集塵室に連通接続されるホースと、電動で駆動する車輪を具備し掃除機本体前部より突出すると共に左右に回動自在の駆動ユニットとを備え、前記ホースの動きに連動して前記駆動ユニットが回動するようにしたもので、掃除機本体を引き回す際に、掃除機本体が転倒しにくくなると共に、掃除機本体の方向転換がスムーズに行え、また、掃除機本体が壁の角などに引っ掛かっても、ホースを反対側に向けるだけで、掃除機本体がその方向に回動して、引っ掛かりが自動的に解除され、使用勝手が良い。
【００１２】
第２の発明は、特に、第１の発明のホースと駆動ユニットをバネなどの弾性体を介して連動させたもので、ホースが引っ張られた方向に、掃除機本体が行き過ぎることを防止でき、更に使い勝手の向上を図ることができる。
【００１３】
第３の発明は、吸引風を発する電動送風機と、前記電動送風機の上流側に配され塵埃を捕集する集塵室と、前記集塵室に連通接続されるホースと、前記ホースの引っ張られる方向を検知する検知手段と、電動で駆動する車輪を具備し掃除機本体前部より突出すると共に前記検知手段の出力に応じて左右に回動する駆動ユニットとを備えたもので、例えば、ホースが引っ張られた方向に、駆動ユニットを回動させるようにすれば、掃除機本体の方向転換をよりスムーズに行い使い勝手の向上が図れるものである。
【００１４】
第４の発明は、吸引風を発する電動送風機と、前記電動送風機の上流側に配され塵埃を捕集する集塵室と、掃除機本体の略前部に配され障害物を検知する障害物検知手段と、電動で駆動する車輪を具備し前記掃除機本体前部より突出すると共に前記障害物検知手段の出力に応じて左右に回動する駆動ユニットとを備えたもので、例えば、掃除機本体が壁の角などに引っかかってそれが障害物検知手段で検知されたときに、掃除機本体が反対側に移動するように駆動ユニットを回動させれば、掃除機本体の障害物への引っ掛かりを自動で解除でき、更なる使い勝手の向上が図れるものである。
【００１５】
第５の発明は、特に、第１〜４のいずれか一つの発明の駆動ユニットを、車輪と、クラッチを介して前記車輪を駆動する動力源で構成し、掃除機本体が運転していない時に、前記クラッチを開放して、前記車輪をフリーな状態にするもので、電気掃除機のコードを抜き、掃除機本体を他の部屋に引き回して移動させる時、車輪がフリーな状態なので、掃除機本体を引っ張る力が増大することを防止できる。
【００１６】
以下、本発明の実施の形態について、図面を参照しながら説明する。なお、この実施の形態により本発明が限定されるものではない。
【００１７】
（実施の形態１）
本発明の第１の実施の形態における電気掃除機について図１、図２を用いて説明する。
【００１８】
図１は、本実施の形態における電気掃除機の縦断面図、図２は、同電気掃除機の掃除機本体の平面図である。
【００１９】
図１において、１は、略円錐形の形状をした掃除機本体で、吸い込み気流を発生させる電動送風機４、電気を供給する電源コード５、電動送風機４の運転を制御する制御回路６を内蔵したモータ室７と、塵埃を捕集する紙袋２などのフィルターを収納する集塵室３で構成され、前記モータ室７と集塵室３は、隔壁１３で仕切られていると共に、前記隔壁１３の電動送風機４と対向した位置に連通孔１４を設けている。
【００２０】
また、掃除機本体１の前部に、電動で駆動する車輪１５を具備した駆動ユニット１６が突出して設けられており、さらに、前記駆動ユニット１６は、軸１７を中心に左右に回動できるように構成されると共に、ホース１０と連動部１８で連動している。
【００２１】
また、掃除機本体１の底部外周には、３６０°回転可能なキャスター９が複数個設けられている。
【００２２】
上記のように構成された本実施の形態における電気掃除機の動作、作用は、以下の通りである。
【００２３】
掃除機本体１が略円錐形状をしており、かつ重量物である電動送風機４と電源コード５を掃除機本体１の底部に、空間の広い集塵室３を上部にそれぞれ配するとともに、掃除機本体１底部の面積を大きくし、かつその重心を低くできるので、掃除機本体１を引き回した時に、掃除機本体１が安定し、転倒しにくくなる。
【００２４】
また、掃除機本体１の底部の外周に設けた３６０°回転可能な複数のキャスター９と、本体１前部から突出して設けた駆動ユニット１６により、掃除機本体１を引き回す際に、非常に小さな力で軽く容易に移動させることができると共に、壁の角などに掃除機本体１が引っ掛かった時や、キャスター９が床面上の障害物などに引っ掛かったときでも、前記駆動ユニット１６により自動でそれらの引っ掛かりを解除することができる。
【００２５】
また、駆動ユニット１６とホース１０の動きを連動させているので、ホース１０が引っ張られる方向に、駆動ユニット１６を向かせることが出来るので、掃除機本体１の方向転換が容易に行え、使い勝手を著しく向上させることができる。
【００２６】
以上のように、本実施の形態によれば、部屋の中を引き回して操作する電気掃除機において、引き回し時の煩わしさを解消し、使い勝手を著しく向上させることができるようになる。
【００２７】
尚、特に図示しないが、ホース１０と駆動ユニット１６との間の任意の場所にバネや、弾性材料からなる弾性体を介在させるようにすれば、ホース１０が引っ張られた方向に、掃除機本体１が行き過ぎることを防止でき、更に使い勝手の向上を図ることができる。
【００２８】
（実施の形態２）
図３は、本発明の第２の実施の形態における電気掃除機の掃除機本体の平面図である。なお、上記実施の形態１と同一部分については同一符号を付してその説明を省略する。
【００２９】
本実施の形態は、図３に示すように、掃除機本体１に、ホース１０が引っ張られる方向を検知する検知手段としての検知部１９と、駆動ユニット１６を、検知部１９で検知した方向に回動させる回動手段２０を設けたもので、他の構成は、上記第１の実施の形態における電気掃除機と同一である。
【００３０】
本実施の形態における電気掃除機は以上のように構成されているので、ホース１０が引っ張られる方向を検知部１９で正確に検知し、駆動ユニット１６の向きを、ホース１０が引っ張られる方向に変えることにより、掃除機本体１の方向転換を容易に行うことが出来、掃除機本体１を引き回す際に転倒しにくく、使い勝手の向上を図ることができるものである。
【００３１】
（実施の形態３）
図４は、本発明の第３の実施の形態における電気掃除機の掃除機本体の平面図、図５は、同掃除機本体の縦断面図である。なお、上記実施の形態と同一部分については同一符号を付してその説明を省略する。
【００３２】
本実施の形態は、図４、図５に示すように、掃除機本体１の前部の左右に、家具、柱、壁などの障害物を検知する障害物検知手段２１を備え、左右いずれかの障害物検知手段２１で障害物を検知したときに、掃除機本体１の向きを、障害物がある側と反対方向に、すなわち障害物から離れる方向に掃除機本体１の向きを変えるように、回動手段２０で、駆動ユニット１６を回動させるようにしたもので、他の構成は、上記実施の形態における電気掃除機と同一である。
【００３３】
本実施の形態における電気掃除機は以上のように構成されているので、掃除機本体１を引き回す際に、掃除機本体１が壁などの障害物に当たると、それを障害物検知手段２１が検知して、掃除機本体１の前部に設けた駆動ユニット１６を回動手段２０で回動させて、掃除機本体１が障害物から離れる方向に向きを変えることが出来る。従って、掃除機本体１が障害物にぶつかっても自動的に方向転換できるので使い勝手の向上を図ることが出来る。
【００３４】
尚、特に図示しないが、駆動ユニット１６を、車輪１５と、クラッチを介して前記車輪１５を駆動する動力源で構成し、掃除機本体１が運転していない時には、前記クラッチを開放して前記車輪１５をフリーな状態にするようにすれば、電気掃除機の電源コード５を抜き、掃除機本体１を他の部屋に引き回して移動させる時、車輪１５がフリーな状態なので、掃除機本体１を引っ張る力が増大することを防止できる。
【産業上の利用可能性】
【００３５】
以上のように、本発明にかかる電気掃除機は、本体引き回しの際でも本体を転倒しにくくし、かつ電動で駆動する車輪を具備した駆動ユニットにより、非常に小さな力で容易に本体を引き回すことができると共に、ホースと駆動ユニットを連動させているので、引き回しの方向転換が容易に行えると共に、掃除機本体が障害物にぶつかっても、ホースの向きを変えるだけで掃除機本体の方向を変えることが出来るので著しく使い勝手を向上させることができるもので、家庭用、業務用、店舗用の各種電気掃除機、床洗浄機などに適用できる。
【図面の簡単な説明】
【００３６】
【図１】本発明の実施の形態１における電気掃除機の縦断面図
【図２】同電気掃除機の掃除機本体の平面図
【図３】本発明の実施の形態２における電気掃除機の掃除機本体の平面図
【図４】本発明の実施の形態３における電気掃除機の掃除機本体の平面図
【図５】同掃除機本体の縦断面図
【図６】従来の電気掃除機の側断面図
【図７】同電気掃除機の全体斜視図
【符号の説明】
【００３７】
１    掃除機本体
２    紙袋
３    集塵室
４    電動送風機
５    電源コード
６    制御回路
７    モータ室
８    ローラー
９    キャスター
１０  ホース
１１  延長管
１２  床ノズル
１３  隔壁
１４  連通孔
１５  車輪
１６  駆動ユニット
１７  軸
１８  連動部
１９  検知部（検知手段）
２０  回動手段
２１  障害物検知手段
【図１】
2009022403.tif 000003
【図２】
2009022403.tif 000004
【図３】
2009022403.tif 000005
【図４】
2009022403.tif 000006
【図５】
2009022403.tif 000007
【図６】
2009022403.tif 000008
【図７】
2009022403.tif 000009